【手続補正書】
【提出日】平成17年6月17日(2005.6.17)
【手続補正１】
【補正対象書類名】明細書
【補正対象項目名】特許請求の範囲
【補正方法】変更
【補正の内容】
【特許請求の範囲】
【請求項１】
装置本体とこの装置本体を身体に装着するための装着手段とを備えるとともに、アンテナコイルとこのアンテナコイルを介して外部の通信装置と非接触でデータ通信を行うデータ通信手段とを備えるデータ通信装置において、
前記装置本体の底面に設けられている裏蓋の下面側に環状の凹部を形成する一方、この環状の凹部に配置されるリング部材を設け、このリング部材に前記アンテナコイルとデータ通信手段とを配置したことを特徴とするデータ通信装置。
【請求項２】
装置本体とこの装置本体を身体に装着するための装着手段とを備えるとともに、アンテナコイルとこのアンテナコイルを介して外部の通信装置と非接触でデータ通信を行うデータ通信手段とを備えるデータ通信装置において、
前記装置本体の底面に設けられている裏蓋の下面側に環状の凹部を形成する一方、前記アンテナコイルとデータ通信手段とが配置された第１及び第２のリング部材とを形成し、前記第１のリング部材を前記凹部に配置するとともに、前記第２のリング部材を前記装置本体の上面部に配置したことを特徴とするデータ通信装置。
【請求項３】
前記データ通信手段は、外部とデータを送受するためのデータ入出力端子を有し、
前記装置本体は、内部回路に接続され前記データ入出力端子に接触する接触部を有し、
前記装置本体の内部回路と前記データ通信手段とを、前記データ入出力端子及び接触部を介して２線式シリアル・バスで接続したことを特徴とする請求項１又は２記載のデータ通信装置。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
【課題を解決するための手段】
前記課題を解決するために請求項１に係る発明にあっては、装置本体とこの装置本体を身体に装着するための装着手段とを備えるとともに、アンテナコイルとこのアンテナコイルを介して外部の通信装置と非接触でデータ通信を行うデータ通信手段とを備えるデータ通信装置において、前記装置本体の底面に設けられている裏蓋の下面側に環状の凹部を形成する一方、この環状の凹部に配置されるリング部材を設け、このリング部材に前記アンテナコイルとデータ通信手段とを配置してある。
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】変更
【補正の内容】
【００２６】
また、請求項２の発明に係るデータ通信装置にあっては、装置本体とこの装置本体を身体に装着するための装着手段とを備えるとともに、アンテナコイルとこのアンテナコイルを介して外部の通信装置と非接触でデータ通信を行うデータ通信手段とを備えるデータ通信装置において、前記装置本体の底面に設けられている裏蓋の下面側に環状の凹部を形成する一方、前記アンテナコイルとデータ通信手段とが配置された第１及び第２のリング部材とを形成し、前記第１のリング部材を前記凹部に配置するとともに、前記第２のリング部材を前記装置本体の上面部に配置してある。したがって、現存する装置本体の内部構造を変更したり内部の回路配置を設計変更することなく、技術的にも容易に異なる２種の外部通信装置と非接触でデータ通信を行う機能を付加することができる。
【手続補正１７】
【補正対象書類名】明細書
【補正対象項目名】００２７
【補正方法】変更
【補正の内容】
【００２７】
また、請求項３の発明に係るデータ通信装置にあっては、前記データ通信手段は、外部とデータを送受するためのデータ入出力端子を有し、前記装置本体は、内部回路に接続され前記データ入出力端子に接触する接触部を有し、前記装置本体の内部回路と前記データ通信手段とを、前記データ入出力端子及び接触部を介して２線式シリアル・バスで接続してある。
【手続補正１８】
【補正対象書類名】明細書
【補正対象項目名】００７２
【補正方法】変更
【補正の内容】
【００７２】
以上説明したように請求項１に係る発明によれば、装置本体の内部構造を変更したり内部の回路配置を変更することなく、アンテナコイルとデータ通信手段とを配置することができる。よって、置き忘れ等のリスクを解消しつつ、現存する身体装着型の機器における装置本体の内部構造を変更したり内部の回路配置を設計変更することなく、技術的にも容易に非接触データ通信機能を付加することが可能となる。また、身体への装着に伴ってアンテナコイルとデータ通信手段とに外力が加わることもなく、よって、置き忘れ等のリスクを解消しつつ、耐久性を向上させることもできる。
【手続補正１９】
【補正対象書類名】明細書
【補正対象項目名】００７３
【補正方法】削除
【補正の内容】
【手続補正２０】
【補正対象書類名】明細書
【補正対象項目名】００７４
【補正方法】削除
【補正の内容】
【手続補正２１】
【補正対象書類名】明細書
【補正対象項目名】００７５
【補正方法】削除
【補正の内容】
【手続補正２２】
【補正対象書類名】明細書
【補正対象項目名】００７６
【補正方法】削除
【補正の内容】
【手続補正２３】
【補正対象書類名】明細書
【補正対象項目名】００７７
【補正方法】変更
【補正の内容】
【００７７】
また、請求項２に係る発明によれば、現存する装置本体の内部構造を変更したり内部の回路配置を設計変更することなく、技術的にも容易に異なる２種の外部通信装置と非接触でデータ通信を行う機能を付加することができる。
【手続補正２４】
【補正対象書類名】明細書
【補正対象項目名】００７８
【補正方法】変更
【補正の内容】
【００７８】
また、請求項３に係る発明によれば、現存する身体装着型の機器における装置本体の内部構造を変更したり内部の回路配置を設計変更することなく、データ通信手段と装置本体内部の回路とのデータ送受信を達成することができる。したがって、窓口機やリーダーライターが近くにない場合やカードを利用する事前でも、装置本体側に設けられている表示部で、例えばプリペイドの残額や履歴等を確認することができる等、利便性を高めることができる。また、装置本体に設けられているスイッチの操作により、装置本体からデータ通信手段側に命令コマンド等を送信して、データ通信手段内の表示データを選択したり、認証処理や決済処理、使用アプリケーションや口座を選択するなど、データ通信手段の処理を操作することもできるので、複数の口座やアプリケーションが記憶されているデータ通信手段でも指定選択して利用することが可能となる。また、複数のアンテナコイルとデータ通信手段とを脱着式に装置本体に装着して、データ通信手段内のデータの内容を確認できる携帯型カードリーダーとして利用することも可能となる。